(57)【特許請求の範囲】
【請求項１】
コンテンツと、ビデオ記録媒体に記録されたビデオ情報との少なくとも一方を有する元情報を用いた編集を指示する依頼者側装置と、この依頼者側装置からの指示に基いて前記元情報の編集を行い、この編集された元情報を記録媒体に記録する編集装置と、この編集装置が前記元情報の編集を行う際に用いるコンテンツとその属性情報からなるコンテンツ情報を管理するコンテンツ情報管理装置とを備えており、
前記元情報の中で編集対象の情報として用いる情報の容量と、前記記録媒体の記録可能な容量とに基いて前記元情報の圧縮の度合いを演算し、その演算結果を報知する報知手段を備えており、
前記依頼者側装置は、
前記元情報の中から前記編集対象として用いる情報を選択する選択手段と、
この選択手段により選択された情報の前記元情報における位置を示す位置情報を生成する位置情報生成手段と、
前記位置情報生成手段により生成された前記位置情報および前記編集対象の情報の属性を示す属性情報を有する編集指示データを作成して前記編集装置へ送信する編集指示データ送信手段とを備えており、
前記編集装置は、
前記依頼者側装置から送信された編集指示データを受信する編集指示データ受信手段と、
この受信された編集指示データに含まれる属性情報に対応するコンテンツの送信要求を前記位置情報に基いて前記コンテンツ情報管理装置に対して行うコンテンツ情報送信要求手段と、
前記コンテンツ情報管理装置から送信されたコンテンツを受信するコンテンツ受信手段と、
このコンテンツ受信手段により受信されたコンテンツおよび前記依頼者側から提供された情報を前記編集指示データに基いて編集する編集手段とを備えており、
前記コンテンツ情報管理装置は、
前記編集装置からの送信要求に対応するコンテンツを前記編集装置へ送信するコンテンツ情報送信手段を備えたことを特徴とする情報編集システム。
【請求項２】
前記依頼者側装置は、
前記編集対象の情報として用いるコンテンツの属性を示す属性情報の送信要求を前記コンテンツ情報管理装置に対して行う属性情報送信要求手段と、
前記コンテンツ情報管理装置から送信された属性情報を受信する属性情報受信手段とを備えており、
前記コンテンツ情報管理装置は、
前記依頼者側装置から送信を要求された属性情報を前記依頼者側装置へ送信する属性情報送信手段を備えたことを特徴とする請求項１に記載の情報編集システム。
【請求項３】
前記報知手段は、
前記編集対象の情報である前記コンテンツ情報に含まれる属性情報と前記ビデオ情報に含まれる時間情報とから求められる再生時間と、前記記録媒体の記録可能な容量とに基いて、前記コンテンツ情報およびビデオ情報の少なくとも一方の圧縮の度合いを演算し、その演算結果を報知することを特徴とする請求項１または請求項２に記載の情報編集システム。
【請求項４】
前記報知手段は、
前記編集対象の情報が前記選択手段により選択される毎に前記圧縮の度合いを演算し、その演算結果を報知することを特徴とする請求項１ないし請求項３のいずれか１つに記載の情報編集システム。
【請求項５】
前記報知手段は、
前記圧縮の度合いが所定の度合いを超えたことを報知することを特徴とする請求項１ないし請求項４のいずれか１つに記載の情報編集システム。
【請求項６】
前記依頼者側装置は、
前記報知手段を備えることを特徴とする請求項１ないし請求項５のいずれか１つに記載の情報編集システム。
【請求項７】
前記位置情報生成手段は、
前記コンテンツを一意に指定可能な識別情報と、前記ビデオ情報に含まれる映像データの記録日時あるいは記録の時間的順序に関する時間情報とから前記位置情報を生成することを特徴とする請求項１ないし請求項６のいずれか１つに記載の情報編集システム。
【請求項８】
依頼者側からの指示に基いて、コンテンツと、ビデオ記録媒体に記録されたビデオ情報との少なくとも一方を有する元情報の編集を行い、この編集された元情報を記録媒体に記録する編集装置と、この編集装置が前記元情報の編集を行う際に用いるコンテンツとその属性情報からなるコンテンツ情報を管理するコンテンツ情報管理装置とを備えた情報編集システムに用いられ、前記元情報を用いた編集を指示する依頼者側装置であって、
前記依頼者側装置は、
前記元情報の中から前記編集対象として用いる情報を選択する選択手段と、
この選択手段により選択された前記情報の前記元情報における位置を示す位置情報を生成する位置情報生成手段と、
前記位置情報生成手段により生成された前記位置情報および前記編集対象の属性を示す属性情報を有する編集指示データを作成して前記編集装置へ送信する編集指示データ送信手段と、
前記元情報の中で編集対象の情報として用いる情報の容量と、前記記録媒体の記録可能な容量とに基いて前記元情報の圧縮の度合いを演算し、その演算結果を報知する報知手段とを備えていることを特徴とする依頼者側装置。
【請求項９】
前記報知手段は、
前記編集対象である前記コンテンツ情報に含まれる属性情報と前記ビデオ情報に含まれる時間情報とから求められる再生時間と、前記記録媒体の記録可能な容量とに基いて、前記コンテンツ情報およびビデオ情報の少なくとも一方の圧縮の度合いを演算し、その演算結果を報知することを特徴とする請求項８に記載の依頼者側装置。
【請求項１０】
前記報知手段は、
前記編集対象の情報が前記選択手段により選択される毎に前記圧縮の度合いを演算し、その演算結果を報知することを特徴とする請求項８または請求項９に記載の依頼者側装置。
【請求項１１】
前記位置情報生成手段は、
前記コンテンツを位置に指定可能な識別情報と、前記ビデオ情報に含まれる映像データの記録日時あるいは記録の時間的順序に関する時間情報とから前記位置情報を生成することを特徴とする請求項８ないし請求項１０のいずれか１つに記載の依頼者側装置。
【請求項１２】
依頼者側からの指示に基いて、コンテンツ情報と、ビデオ記録媒体に記録されたビデオ情報との少なくとも一方を有する元情報の編集を行い、この編集された元情報を記録媒体に記録する編集装置と、この編集装置が前記元情報の編集を行う際に用いるコンピュータとその属性情報からなるコンテンツ情報を管理するコンテンツ情報管理装置とを備えた情報編集システムに用いられ、前記元情報を用いた編集を指示する依頼者側装置をコンピュータにより機能させるためのコンピュータプログラムであって、
前記コンピュータが、
前記元情報の中から前記編集対象として用いる情報を選択する選択処理と、
この選択処理により選択された前記情報の前記元情報における位置を示す位置情報を生成する位置情報生成処理と、
前記位置情報生成処理により生成された前記位置情報および前記編集対象の属性を示す属性情報を有する編集指示データを作成して前記編集装置へ送信する編集指示データ送信処理と、
前記元情報の中で編集対象の情報として用いる情報の容量と、前記記録媒体の記録可能な容量とに基いて前記元情報の圧縮の度合いを演算し、その演算結果を報知手段により報知させる報知処理とを含む処理を実行するためのコンピュータプログラム。
【請求項１３】
依頼者側からの指示に基いて、コンテンツ情報と、ビデオ記録媒体に記録されたビデオ情報との少なくとも一方を有する元情報の編集を行い、この編集された元情報を記録媒体に記録する編集装置と、この編集装置が前記元情報の編集を行う際に用いるコンピュータとその属性情報からなるコンテンツ情報を管理するコンテンツ情報管理装置とを備えた情報編集システムに用いられ、前記元情報を用いた編集を指示する依頼者側装置をコンピュータにより機能させるためのコンピュータプログラムが記録された記録媒体であって、
前記コンピュータが、
前記元情報の中から前記編集対象として用いる情報を選択する選択処理と、
この選択処理により選択された前記情報の前記元情報における位置を示す位置情報を生成する位置情報生成処理と、
前記位置情報生成処理により生成された前記位置情報および前記編集対象の属性を示す属性情報を有する編集指示データを作成して前記編集装置へ送信する編集指示データ送信処理と、
前記元情報の中で編集対象の情報として用いる情報の容量と、前記記録媒体の記録可能な容量とに基いて前記元情報の圧縮の度合いを演算し、その演算結果を報知手段により報知させる報知処理とを含む処理を実行するためのコンピュータプログラムが記録された記録媒体。
【発明の詳細な説明】
【０００１】
【発明の属する技術分野】
この発明は、情報の編集を依頼する依頼者と、その依頼者からの依頼を受けて情報編集のサービスを提供する提供者との間で通信を行い、提供者が情報の編集を行う情報編集システムに関する。
【０００２】
【従来の技術】
従来、たとえばビデオカメラなどにより撮影した映像の中から必要なシーンを取出したり、好きな映像をオープニングやエンディングに組込んだり、あるいは、好きなＢＧＭを挿入して上記映像を編集し、その編集された映像をＤＶＤ(Digital Video Disc)などのメディアに記録する手法が知られている。
【０００３】
【発明が解決しようとする課題】
ところで、上記従来の手法を用いて映像の編集を行おうとすると、映像をたとえばＭＰＥＧ(Motion Pictures Experts Group) などの方式で圧縮してコンピュータに取り込むための装置、その取込んだ映像をいくつかのクリップ（Clip：場面）に分け、そのクリップの再生順序の変更や削除を行う映像編集ソフト、出来上がった編集映像をＤＶＤなどのメディアに記録する装置などが必要である。映像の編集などを希にしか行わない者にとっては、編集に必要な装置やソフトの購入は、無駄な買い物になってしまうおそれがあるし、初めての装置やソフトを使用するための学習は、時間の無駄になってしまうおそれがあった。また、出来上がった編集映像をメディアに記録する際の時間は、編集映像データをメディアに記録するためのデータに変換するだけの時間であり、編集者にとっては無駄な時間になってしまう。
そこで、上記のような環境にある者に代わって編集などのサービスを提供するサービス提供者が現れた。このサービス提供者は、依頼者から映像が記録されたビデオテープと、その映像に組み込む映像やＢＧＭなどのコンテンツが記録されたメディアとを受け取り、編集映像データとして取り出したい映像の時間的位置、映像やＢＧＭを組み込む時間的位置などの指示に基いて、依頼者から提供された映像を編集し、出来上がった編集映像を依頼者の希望するメディアに記録するという作業を行う。
【０００４】
しかし、上記の手法では、依頼者は、編集映像データとして組み込む映像やＢＧＭなどのコンテンツを自ら用意しなければならないため、自分が所有していない映像やＢＧＭのコンテンツであれば、それをソフト販売店へ買いに行く手間がかかるし、購入費用がかかるという問題がある。また、依頼者が、編集に用いる映像やＢＧＭのコンテンツの入手をサービス提供者に依頼する場合は、そのサービス提供者においても、上記と同じ問題が生じる。さらに、編集に用いる映像やＢＧＭなどのコンテンツをそれらの著作権者に無断でコピーすることは、著作権の侵害となるため、好ましくない。
つまり、上記従来の手法では、編集に必要なコンテンツを揃えるための手間および費用がかかるという問題がある。また、コンテンツの著作権を厚く保護できないという問題もある。
さらに、上記従来の手法では、依頼者から提供された映像、編集映像データとして組み込むビデオテープなどのビデオ記録媒体に記録されているビデオデータやコンテンツのデータ量によっては、出来上がった編集映像のデータ量がメディアの最大記録容量を超えてしまうことがある。そのような場合は、依頼者から提供された映像やコンテンツのデータを圧縮することになるが、あまり圧縮し過ぎても画質が劣化してしまう。このため、どの程度の圧縮をかけるかが問題となるが、上記従来の手法では、どの程度圧縮すれば、出来上がった編集映像の総てをメディアに記録できるかを知る手段がなかった。
【０００５】
そこで、この発明は、上記諸問題を解決するためになされたものであり、元情報を用いた編集に用いるコンテンツを揃えるための手間および費用を削減することができ、かつ、元情報の圧縮の度合いを報知できる情報編集システムを実現することを目的とする。また、コンテンツの著作権を厚く保護できる情報編集システムを実現することをも目的とする。
【０００６】
【課題を解決するための手段、作用および発明の効果】
この発明は、上記目的を達成するため、請求項１に記載の発明では、コンテンツと、ビデオ記録媒体に記録されたビデオ情報との少なくとも一方を有する元情報を用いた編集を指示する依頼者側装置と、この依頼者側装置からの指示に基いて前記元情報の編集を行い、この編集された元情報を記録媒体に記録する編集装置と、この編集装置が前記元情報の編集を行う際に用いるコンテンツとその属性情報からなるコンテンツ情報を管理するコンテンツ情報管理装置とを備えており、前記元情報の中で編集対象の情報として用いる情報の容量と、前記記録媒体の記録可能な容量とに基いて前記元情報の圧縮の度合いを演算し、その演算結果を報知する報知手段を備えており、前記依頼者側装置は、前記元情報の中から前記編集対象として用いる情報を選択する選択手段と、この選択手段により選択された情報の前記元情報における位置を示す位置情報を生成する位置情報生成手段と、前記位置情報生成手段により生成された前記位置情報および前記編集対象の情報の属性を示す属性情報を有する編集指示データを作成して前記編集装置へ送信する編集指示データ送信手段とを備えており、前記編集装置は、前記依頼者側装置から送信された編集指示データを受信する編集指示データ受信手段と、この受信された編集指示データに含まれる属性情報に対応するコンテンツの送信要求を前記位置情報に基いて前記コンテンツ情報管理装置に対して行うコンテンツ情報送信要求手段と、前記コンテンツ情報管理装置から送信されたコンテンツを受信するコンテンツ受信手段と、このコンテンツ受信手段により受信されたコンテンツおよび前記依頼者側から提供された情報を前記編集指示データに基いて編集する編集手段とを備えており、前記コンテンツ情報管理装置は、前記編集装置からの送信要求に対応するコンテンツを前記編集装置へ送信するコンテンツ情報送信手段を備えたという技術的手段を用いる。
【０００７】
依頼者側装置に備えられた編集指示データ送信手段は、位置情報生成手段により生成された位置情報（選択手段により選択された情報の元情報における位置を示す位置情報）および編集対象の情報の属性を示す属性情報を有する編集指示データを作成して編集装置へ送信する。編集装置に備えられたコンテンツ情報送信要求手段は、受信された編集指示データに含まれる属性情報に対応するコンテンツの送信要求を上記位置情報に基いてコンテンツ情報管理装置に対して行う。そして、コンテンツ情報管理装置に備えられたコンテンツ情報送信手段は、編集装置からの送信要求に対応するコンテンツを編集装置へ送信し、編集装置は、受信したコンテンツと、依頼者から提供されたビデオ情報を用いた編集を行い、この編集された元情報を記録媒体に記録する。
つまり、依頼者側は、編集装置に対して編集に必要なコンテンツの属性情報を送信するだけで、編集装置は、コンテンツ情報管理装置から必要なコンテンツを受信して編集処理を行うことができる。
また、報知手段により、元情報の圧縮の度合いを演算し、その演算結果を報知することができるため、圧縮の度合いと画質とを比較考量しながら編集処理を行うことができる。
したがって、依頼者側および編集者側が、コンテンツを揃えるための手間および費用を削減することができ、かつ、元情報の圧縮の度合いを報知できる情報編集システムを実現することができる。また、依頼者側または編集者側が、コンテンツの使用料をコンテンツの管理者に対して支払うようにすれば、コンテンツの無断使用を防止できるため、コンテンツの著作権を厚く保護できる情報編集システムを実現することもできる。
なお、コンテンツとは、編集を行う際にビデオ情報に組み込んだりする映像や音声などのデータそのものを示す内容物という意味である。
【０００８】
請求項２に記載の発明では、請求項１に記載の情報編集システムにおいて、前記依頼者側装置は、前記編集対象の情報として用いるコンテンツの属性を示す属性情報の送信要求を前記コンテンツ情報管理装置に対して行う属性情報送信要求手段と、前記コンテンツ情報管理装置から送信された属性情報を受信する属性情報受信手段とを備えており、前記コンテンツ情報管理装置は、前記依頼者側装置から送信を要求された属性情報を前記依頼者側装置へ送信する属性情報送信手段を備えたという技術的手段を用いる。
【０００９】
依頼者側装置に備えられた属性情報送信要求手段が、編集対象の情報として用いるコンテンツの属性を示す属性情報の送信要求をコンテンツ情報管理装置に対して行うと、コンテンツ情報管理装置に備えられた属性情報送信手段は、依頼者側装置から送信を要求された属性情報を依頼者側装置へ送信し、依頼者側装置に備えられた属性情報受信手段は、コンテンツ情報管理装置から送信された属性情報を受信する。
つまり、依頼者側は、編集対象の情報として用いるコンテンツの属性を示す属性情報の送信要求をコンテンツ情報管理装置に対して行うだけで、その属性情報をコンテンツ情報管理装置から受信することができるため、コンテンツ自体を調べる手間を省くことができる。
【００１０】
請求項３に記載の発明では、請求項１または請求項２に記載の情報編集システムにおいて、前記報知手段は、前記編集対象の情報である前記コンテンツ情報に含まれる属性情報と前記ビデオ情報に含まれる時間情報とから求められる再生時間と、前記記録媒体の記録可能な容量とに基いて、前記コンテンツ情報およびビデオ情報の少なくとも一方の圧縮の度合いを演算し、その演算結果を報知するという技術的手段を用いる。
【００１１】
つまり、元情報の再生時間は、コンテンツ情報に含まれる属性情報（たとえば、再生時間）とビデオ情報に含まれる時間情報（たとえば、開始点タイムコードおよび終了点タイムコード）とから求めることができるため、その求めた再生時間と、記録媒体の記録可能な容量とに基いて、コンテンツ情報およびビデオ情報の少なくとも一方の圧縮の度合いを演算することができる。
【００１２】
請求項４に記載の発明では、請求項１ないし請求項３のいずれか１つに記載の情報編集システムにおいて、前記報知手段は、前記編集対象の情報が前記選択手段により選択される毎に前記圧縮の度合いを演算し、その演算結果を報知するという技術的手段を用いる。
【００１３】
つまり、編集対象の情報が選択手段により選択される毎に前記圧縮の度合いを演算し、その演算結果を報知することができるため、編集対象の情報を選択する毎に圧縮の度合いと画質とを比較考量しながら編集処理を行うことができる。
【００１４】
請求項５に記載の発明では、請求項１ないし請求項４のいずれか１つに記載の情報編集システムにおいて、前記報知手段は、前記圧縮の度合いが所定の度合いを超えたことを報知するという技術的手段を用いる。
【００１５】
つまり、圧縮の度合いが所定の度合いを超えたことを報知することができるため、過度の圧縮を行ってしまうことにより、元情報の画質が所望の画質よりも低下してしまうことを防止できる。
【００１６】
請求項６に記載の発明では、請求項１ないし請求項５のいずれか１つに記載の情報編集システムにおいて、前記依頼者側装置は、前記報知手段を備えるという技術的手段を用いる。
【００１７】
つまり、依頼者側装置が報知手段を備えるため、依頼者側において圧縮の度合いを知ることができる。したがって、圧縮の度合いと画質とを比較考量しながら編集対象の情報およびコンテンツを選択して編集指示データを作成する作業を行うことができる。
【００１８】
請求項７に記載の発明では、請求項１ないし請求項６のいずれか１つに記載の情報編集システムにおいて、前記位置情報生成手段は、前記コンテンツを一意に指定可能な識別情報と、前記ビデオ情報に含まれる映像データの記録日時あるいは記録の時間的順序に関する時間情報とから前記位置情報を生成するという技術的手段を用いる。
【００１９】
つまり、位置情報には、コンテンツを一意に指定可能な識別情報が含まれているため、編集装置は、受信した編集指示データに含まれる属性情報に対応するコンテンツの送信要求を上記位置情報に基いてコンテンツ情報管理装置に対して行うことができる。
【００２０】
請求項８に記載の発明では、依頼者側からの指示に基いて、コンテンツ情報と、ビデオ記録媒体に記録されたビデオ情報との少なくとも一方を有する元情報の編集を行い、この編集された元情報を記録媒体に記録する編集装置と、この編集装置が前記元情報の編集を行う際に用いるコンテンツとその属性情報からなるコンテンツ情報を管理するコンテンツ情報管理装置とを備えた情報編集システムに用いられ、前記元情報を用いた編集を指示する依頼者側装置であって、前記依頼者側装置は、前記元情報の中から前記編集対象として用いる情報を選択する選択手段と、この選択手段により選択された前記情報の前記元情報における位置を示す位置情報を生成する位置情報生成手段と、前記位置情報生成手段により生成された前記位置情報および前記編集対象の属性を示す属性情報を有する編集指示データを作成して前記編集装置へ送信する編集指示データ送信手段と、前記元情報の中で編集対象の情報として用いる情報の容量と、前記記録媒体の記録可能な容量とに基いて前記元情報の圧縮の度合いを演算し、その演算結果を報知する報知手段とを備えていることを特徴とする依頼者側装置という技術的手段を用いる。
【００２１】
依頼者側装置に備えられた編集指示データ送信手段が、位置情報生成手段により生成された位置情報（選択手段により選択された情報の元情報における位置を示す位置情報）および編集対象の情報の属性を示す属性情報を有する編集指示データを作成して編集装置へ送信すると、編集装置は、受信された編集指示データに基いてコンテンツ情報管理装置から必要なコンテンツを受信し、その受信したコンテンツと、ビデオ記録媒体に記録されたビデオ情報とを有する元情報の編集を行い、この編集された元情報を記録媒体に記録する。また、依頼者側装置に備えられた報知手段は、元情報の中で編集対象の情報として用いる情報の容量と、記録媒体の記録可能な容量とに基いて元情報の圧縮の度合いを演算し、その演算結果を報知する。
つまり、依頼者側は、位置情報と、編集対象の情報の属性を示す属性情報とを編集装置に対して送信するだけで、編集装置は、元情報の編集処理を行うことができる。また、報知手段により、元情報の圧縮の度合いを演算し、その演算結果を報知することができるため、依頼者側は、圧縮の度合いと画質とを比較考量しながらビデオ情報やコンテンツの選択などを行うことができる。
したがって、依頼者側が、コンテンツを揃えるための手間および費用を削減することができ、かつ、元情報の圧縮の度合いを報知できる情報編集システムを実現することができる。また、依頼者側または編集者側が、コンテンツの使用料をコンテンツの管理者に対して支払うようにすれば、コンテンツの無断使用を防止できるため、コンテンツの著作権を厚く保護できる情報編集システムを実現することもできる。
【００２２】
請求項９に記載の発明では、請求項８に記載の依頼者側装置において、前記報知手段は、前記編集対象である前記コンテンツ情報に含まれる属性情報と前記ビデオ情報に含まれる時間情報とから求められる再生時間と、前記記録媒体の記録可能な容量とに基いて、前記コンテンツ情報およびビデオ情報の少なくとも一方の圧縮の度合いを演算し、その演算結果を報知するという技術的手段を用いる。
【００２３】
つまり、元情報の再生時間は、コンテンツ情報に含まれる属性情報（たとえば、再生時間）とビデオ情報に含まれる時間情報（たとえば、開始点タイムコードおよび終了点タイムコード）とから求めることができるたため、その求めた再生時間と、記録媒体の記録可能な容量とに基いて、コンテンツ情報およびビデオ情報の少なくとも一方の圧縮の度合いを演算することができる。
【００２４】
請求項１０に記載の発明では、請求項８または請求項９に記載の依頼者側装置において、前記報知手段は、前記編集対象の情報が前記選択手段により選択される毎に前記圧縮の度合いを演算し、その演算結果を報知するという技術的手段を用いる。
【００２５】
つまり、編集対象の情報が選択手段により選択される毎に前記圧縮の度合いを演算し、その演算結果を報知することができるため、依頼者側は、編集対象の情報を選択する毎に圧縮の度合いと画質とを比較考量しながら情報やコンテンツの選択を行うことができる。
【００２６】
請求項１１に記載の発明では、請求項８ないし請求項１０のいずれか１つに記載の依頼者側装置において、前記位置情報生成手段は、前記コンテンツを一意に指定可能な識別情報と、前記ビデオ情報に含まれる映像データの記録日時あるいは記録の時間的順序に関する時間情報とから前記位置情報を生成するという技術的手段を用いる。
【００２７】
つまり、位置情報には、コンテンツを一意に指定可能な識別情報が含まれているため、編集装置は、受信した編集指示データに含まれる属性情報に対応するコンテンツの送信要求を上記位置情報に基いてコンテンツ情報管理装置に対して行うことができる。
【００２８】
請求項１２に記載の発明では、依頼者側からの指示に基いて、コンテンツと、ビデオ記録媒体に記録されたビデオ情報との少なくとも一方を有する元情報の編集を行い、この編集された元情報を記録媒体に記録する編集装置と、この編集装置が前記元情報の編集を行う際に用いるコンピュータとその属性情報からなるコンテンツ情報を管理するコンテンツ情報管理装置とを備えた情報編集システムに用いられ、前記元情報を用いた編集を指示する依頼者側装置をコンピュータにより機能させるためのコンピュータプログラムであって、前記コンピュータが、前記元情報の中から前記編集対象として用いる情報を選択する選択処理と、この選択処理により選択された前記情報の前記元情報における位置を示す位置情報を生成する位置情報生成処理と、前記位置情報生成処理により生成された前記位置情報および前記編集対象の属性を示す属性情報を有する編集指示データを作成して前記編集装置へ送信する編集指示データ送信処理と、前記元情報の中で編集対象の情報として用いる情報の容量と、前記記録媒体の記録可能な容量とに基いて前記元情報の圧縮の度合いを演算し、その演算結果を報知手段により報知させる報知処理とを含む処理を実行するためのコンピュータプログラムという技術的手段を用いる。
【００２９】
つまり、請求項８に記載の依頼者側装置は、たとえば、後述する発明の実施の形態に記載するように、依頼者側装置に備えられたコンピュータにより機能するため、上記コンピュータプログラムをハードディスクなどの記録媒体に記憶しておき、その記憶されたコンピュータプログラムを上記コンピュータが実行することにより、上記依頼者側装置を機能させることができる。
【００３０】
請求項１３に記載の発明では、依頼者側からの指示に基いて、コンテンツと、ビデオ記録媒体に記録されたビデオ情報との少なくとも一方を有する元情報の編集を行い、この編集された元情報を記録媒体に記録する編集装置と、この編集装置が前記元情報の編集を行う際に用いるコンピュータとその属性情報からなるコンテンツ情報を管理するコンテンツ情報管理装置とを備えた情報編集システムに用いられ、前記元情報を用いた編集を指示する依頼者側装置をコンピュータにより機能させるためのコンピュータプログラムが記録された記録媒体であって、前記コンピュータが、前記元情報の中から前記編集対象として用いる情報を選択する選択処理と、この選択処理により選択された前記情報の前記元情報における位置を示す位置情報を生成する位置情報生成処理と、前記位置情報生成処理により生成された前記位置情報および前記編集対象の属性を示す属性情報を有する編集指示データを作成して前記編集装置へ送信する編集指示データ送信処理と、前記元情報の中で編集対象の情報として用いる情報の容量と、前記記録媒体の記録可能な容量とに基いて前記元情報の圧縮の度合いを演算し、その演算結果を報知手段により報知させる報知処理とを含む処理を実行するためのコンピュータプログラムが記録された記録媒体という技術的手段を用いる。
【００３１】
つまり、コンピュータにより機能する依頼者側装置にあっては、たとえば、後述する発明の実施の形態に記載するように、依頼者側装置に備えられたハードディスクなどの記録媒に記録されたコンピュータプログラムをコンピュータが実行することにより機能することから、上記コンピュータプログラムを記録した記録媒体を使用することにより、請求項１に記載の依頼者側装置を実現できる。
【００３２】
【発明の実施の形態】
以下、この発明に係る情報編集システムの実施形態について図を参照して説明する。なお、以下に示す各実施形態では、編集のサービスを依頼するサービス依頼者と、このサービス依頼者からの依頼により編集サービスを提供するサービス提供者と、このサービス提供者へ提供するビデオコンテンツを管理するビデオコンテンツ提供者との間で通信を行い、最終的にサービス提供者が、完成した編集映像をＤＶＤ（ＤＶＤ−Ｒ、ＤＶＤ−ＲＷ、または、ＤＶＤ−ＲＡＭ）に記録してサービス依頼者に渡すという構成の情報編集システムの場合を例に挙げて説明する。
【００３３】
［主要構成］
最初に、この実施形態に係る情報編集システムの主要構成について、それをブロックで示す図１を参照して説明する。
図１に示すように、この実施形態に係る情報編集システム３０は、サービス依頼者が使用する編集データ生成装置４０と、サービス提供者が使用するマルチメディア情報生成装置５０と、ビデオコンテンツ提供者が使用するコンテンツデータ管理装置６０とを備えており、各装置はそれぞれ相互に通信回線（有線または無線）により接続されている。通信回線としては、公衆通信交換網やインターネットなどを使用する。各装置は、コンピュータ本体と、このコンピュータ本体に接続されたモニタ、マウス、キーボードとを備えている（図示省略）。図２ないし図５においてブロックで示す各機能は、各装置が備えるコンピュータ本体に内蔵されたＣＰＵ（図示省略）がコンピュータプログラムを実行することにより実現する機能を示す。また、各記憶部や管理部は、各装置が備えるコンピュータ本体に備えられたハードディスク、ＲＯＭ、ＲＡＭなどの記録媒体（図示省略）により機能する。
【００３４】
［主な作業の流れ］
次に、情報編集システム３０における主な作業の流れについて説明する。
サービス依頼者は、ビデオテープＶＴに録画されている元映像を編集データ生成装置４０により再生し、元映像から取り出したいカットのビデオテープ上における時間的位置、つまり開始点および終了点のタイムコードを抽出する。また、編集データ生成装置４０により、元映像に組み込むコンテンツの識別子、内容説明、サイズ（データ量）および再生時間などのコンテンツ属性情報のみをコンテンツデータ管理装置６０から受信する。そして、サービス依頼者は、ビデオテープＶＴをサービス提供者に届け、上記タイムコードおよびコンテンツ属性情報などから構成された編集指示データをマルチメディア情報生成装置５０へ送信する。
そして、サービス提供者は、編集データ生成装置４０から送信された編集指示データに示されるコンテンツ属性情報に含まれる識別子をマルチメディア情報生成装置５０によりコンテンツデータ管理装置６０へ送信する。そして、コンテンツデータ管理装置６０は、受信した識別子に対応するコンテンツデータをマルチメディア情報生成装置５０へ送信する。そして、サービス提供者は、受信したコンテンツデータ、元映像および編集指示データなどを用いて編集作業を行い、完成した編集情報（以下、出力マルチメディア情報と称する）をＤＶＤなどのメディアに記録し、そのメディアをサービス依頼者に届ける。
【００３５】
［出力マルチメディア情報の主な内容］
次に、出力マルチメディア情報の主な内容について図７および図１０を参照して説明する。
図７は、出力マルチメディア情報が記録されたＤＶＤを再生した場合にモニタ画面に表示されるメニュー画面を示す説明図である。図１０は、出力マルチメディア情報のデータ構造の概念を示す説明図である。なお、ここでは、編集により作成された情報としてビデオ情報１〜３の３つのビデオ情報がＤＶＤに記録されているものとする。
図７に示すように、メニュー画面８０には、花を表した背景画像８１がビットマップデータにより表示されており、その上に「ビデオライブラリ」というタイトル名と、「ビデオ１」、「ビデオ２」および「ビデオ３」という再生ボタン８２〜８４がテキストデータにより表示されている。再生ボタン８２〜８４は、ＤＶＤに記録されているビデオ情報１〜３の３つのビデオ情報を再生する際に押下するボタンであり、マウスなどの操作によりボタン上にポインタを移動し、ボタン上にポインタが存在する状態でマウスをクリックすることにより押下される。各再生ボタンは、それぞれ指定された色により矩形に表示されており、その矩形内が押下の有効なボタン領域に設定されている。
【００３６】
図１０に示す出力マルチメディア情報において、データ数は、出力マルチメディア情報を構成する情報の数を示すものであり、この例では、メニュー情報１およびビデオ情報１〜３の計４つである。アドレステーブルは、上記４つの情報の先頭を示すＩＤ１〜４と、アドレスを示す「ｗｗｗｗ」、「ｘｘｘｘ」、［ｙｙｙｙ」、「ｚｚｚｚ」と、データのタイプを示す「メニュー」、「ビデオ」、「ビデオ」、「ビデオ」とを対応付けて構成される。メニュー情報１は、図７に示したメニュー画面を表示するためのデータであり、背景画像およびボタン情報１〜３により構成される。背景画像は、「ビデオライブラリ」、「ビデオ１」〜「ビデオ３」のテキスト情報および背景画像８１のビットマップ情報からなるテキスト情報入り背景ビットマップ情報である。ボタン情報１〜３は、再生ボタン８２〜８４を表示するためのデータであり、各ボタン情報は、ボタンを表示する色、ボタンの形状および押下された場合のジャンプ先から構成される。
【００３７】
図１０に示す例では、各ボタンを表示する色として、白／グレー／黄、１０／５／５が設定されている。ここで、白／グレー／黄は、ボタンを選択していないとき、つまりボタン上にポインタが存在しないときの色が白であり、ボタンを選択したとき、つまりボタン上にポインタが存在するときの色がグレーであり、ボタンが押下されたとき、つまりボタン上にポインタが存在するときにクリック操作を行ったときの色が黄であることを示す。また、１０／５／５は、ボタンを表示している領域の透過度を示し、「１０」は完全な透過であり、「０」は非透過である。各ボタン情報の矩形に対応付けられているデータは、矩形の（左上角のＸ座標，左上角のＹ座標）−（幅，高さ）を示す。ジャンプ先ＩＤ「２」、「３」、「４」は、アドレステーブルに設定されているアドレスと対応しており、「ｘｘｘｘ」、［ｙｙｙｙ」、「ｚｚｚｚ」に対応している。
ビデオ情報１は、カット情報１〜３のカット数３のビデオカットにより構成されており、ビデオ情報２は、カット情報１のみのカット数１のビデオカットにより構成されており、ビデオ情報３は、カット情報１，２のカット数２のビデオカットにより構成されている。各カット情報として、圧縮ビデオデータ１〜６が記録されている。圧縮ビデオデータとは、ＭＰＥＧなどの方式により圧縮されたビデオデータである。
【００３８】
［編集中データの主な内容］
次に、編集中データの主な内容について、それを示す図８を参照して説明する。
編集中データは、編集データ生成装置４０が編集中に一時的にハードディスクなどに記憶するデータである。なお、図１０に示した出力マルチメディア情報と異なる部分のみ説明する。出力マルチメディア情報では、背景画像がテキスト情報入り背景ビットマップ情報であるのに対して、編集中データでは、背景ビットマップ情報である点が異なる。編集中データでは、背景ビットマップ情報とは別個にテキスト情報が存在する。図８に示す例では、テキスト情報１〜４の計４つの編集可能なテキスト情報が存在する。各テキスト情報には、テキストのフォントを示すフォント情報と、テキスト内容と、テキスト情報の配置位置とが対応付けられている。フォント情報は、左から順に、フォントの種類、フォントサイズ、文字色／縁取り色、太字／斜体／下線を示しており、太字／斜体／下線における「１」は設定ありを示し、「０」は設定なしを示す。配置位置は、テキスト情報の（左上角のＸ座標，左上角のＹ座標）により表される。
各カット情報に対応付けられているデータが出力マルチメディア情報とは異なる。各カット情報には、データの実体ではなく、カットを特定するためのデータが対応付けられている。ビデオ情報１および２の各カット情報には、元のビデオ情報の中におけるカット情報の開始時間を示す開始点タイムコードと、終了時間を示す終了点タイムコードとが対応付けられている。タイムコードは「：」により４つに区切られており、先頭から時、分、秒、フレーム数を示す。
ビデオ情報３のカット情報１および２には、コンテンツ識別子がそれぞれ対応付けられている。
【００３９】
［編集指示データの主な内容］
次に、編集指示データの主な内容について、それを示す図９を参照して説明する。
編集指示データは、編集データ生成装置４０がマルチメディア情報生成装置５０へ編集の指示を伝えるためのデータである。なお、図８に示した編集中データと異なる部分のみ説明する。編集中データでは、編集可能なように背景ビットマップ情報とはテキスト情報を別に記憶していたが、編集指示データでは、背景ビットマップ上に描画した形のテキスト情報入り背景ビットマップ情報を記憶する点が異なる。つまり、背景ビットマップ情報とテキスト情報とを別個に設定し、編集データ生成装置４０にのみインストールされたフォントデータを用いてテキスト情報を作成し、それをマルチメディア情報生成装置５０へ送信すると、マルチメディア情報生成装置５０において所望のテキスト情報を再現できないという事態を回避するためである。
【００４０】
［コンテンツ情報の主な内容］
次に、コンテンツ情報の主な内容について、それを示す図１３を参照して説明する。
コンテンツ情報は、コンテンツデータ管理装置６０に記憶しているビデオライブラリ中の１つのデータである。コンテンツ識別子は、そのコンテンツを判別するためのものであり、コンテンツごとに固有の値が設定されている。内容説明には、そのコンテンツの内容を示す情報が文字列で設定されている。データサイズには、そのコンテンツのデジタルデータとしてのサイズ（データ容量）が設定されている。データ再生時間には、そのコンテンツを再生したときの再生時間が設定されている。マルチメディア情報には、デジタルデータ化された実際のコンテンツビデオデータの実体が記録されている。
【００４１】
［コンテンツ属性情報の主な内容］
次に、コンテンツ属性情報の主な内容について、それを示す図１４を参照して説明する。
コンテンツ属性情報は、図１３に示したコンテンツ情報の中からマルチメディア情報であるコンテンツビデオデータの実体を除いたもの、つまりコンテンツビデオの属性のみを示す情報である。
【００４２】
［編集データ生成装置４０の主要機能］
次に、編集データ生成装置４０の主要機能について図２および図３を参照して説明する。
図２は、編集データ生成装置４０の主要機能をブロックで示す説明図である。図３は、図２に示す編集データ生成装置４０の一機能である編集指示データ出力部の主要機能をブロックで示す説明図である。
編集データ生成装置４０は、コンピュータ本体に接続される拡張ボードや専用のソフトウエアを中心として構成される。図２においてビデオテープ再生装置７０は、IEEE1394インターフェースを備えており、ＤＶ（Digital Video） 端子およびケーブルを介して編集データ生成装置４０と接続されている。コンテンツデータ受信装置４１は、通信モデムもしくはＬＡＮカードであり、通信回線を介してコンテンツデータ管理装置６０と通信を行う。また、コンテンツデータ受信装置４１は、コンテンツデータ管理部４２からの指示により、コンテンツデータ管理装置６０に対してコンテンツの属性情報の送信要求を行い、その送信要求によりコンテンツデータ管理装置６０から送信された上記コンテンツ属性情報を受信する。その受信されたコンテンツ属性情報は、コンテンツデータ管理部４２が管理するハードディスクに記憶される。
【００４３】
再生装置制御部４３は、IEEE1394インターフェースカードであり、編集制御部４４からの指示によりビデオテープ再生装置７０に対して制御コマンドを発行し、再生、録画および停止などの指令を与えたり、再生されたビデオテープの映像やタイムコード情報を読出す。編集制御部４４は、ＧＵＩ(Graphical User Interface)などを用いてユーザに前述の編集中データを作成するための操作入力を対話形式で行わせるものであり、メニュー画像のデザインやビデオ情報のタイムコードの指定などを行う。また、編集制御部４４は、コンテンツデータ管理装置６０へ指示を出し、コンテンツデータ管理装置６０が記憶しているコンテンツ属性情報を参照し、図１２に示すようなコンテンツデータの一覧をモニタ画面に表示する。サービス依頼者は、その表示された一覧の中から、編集中データに組み込むコンテンツデータを指定する。これらの編集作業の際、モニタ画面には、常に、編集中データやこれに関連付けられているビデオ情報やコンテンツデータをマルチメディア情報化した際のデータ容量、総再生時間、デジタルビデオデータ圧縮率が表示されるため、サービス依頼者は、それらを確認しながら編集作業を実施することができる。この処理の詳細については後述する。
【００４４】
編集指示データ出力部４５は、編集制御部４４により生成された編集中データを、マルチメディア情報生成装置５０において使用する形式、つまり前述の編集指示データに変換して出力するためのソフトウエアである。
図３に示すように、編集指示データ出力部４５は、入力部４５ａ、注文データ入力部４５ｂ、メニュー変換部４５ｃ、データチェック部４５ｄおよび出力部４５ｅから構成される。入力部４５ａは、編集制御部４４から出力される編集中データを受け付ける。注文データ入力部４５ｂは、ＧＵＩなどを用いて、編集中データをマルチメディア情報化した際のデータ容量、総再生時間、デジタルビデオデータ圧縮率などをモニタ画面に表示する一方、マルチメディア情報生成装置５０に対して編集の注文をする際に必要な情報（サービス依頼者の名前、住所など）を入力する。メニュー変換部４５ｃは、編集データにおいて指定されたメニュー用の背景画像ファイルの上に、設定されたテキストを配置して１枚の画像として保存するものである。これにより、サービス依頼者側にしか依存しないフォントを用いてメニュー画面が作成されていたとしても、そのフォントが指定された文字が画像に変換されるため、マルチメディア情報生成装置５０において上記フォントを持っている必要がなくなる。
データチェック部４５ｄは、注文に必要なビデオテープが揃っているか否か、編集データに設定の忘れられた項目がないかなどをチェックするためのものであり、ビデオテープのチェック時には、再生装置制御部４３と、ビデオテープ再生装置７０とを用いてビデオテープを再生させ、テープの存在を確認する。
なお、編集データ生成装置４０の機能として、編集中データやこれに関連付けられているビデオ情報やコンテンツデータをマルチメディア情報化した際のデータ容量、総再生時間、デジタルビデオデータ圧縮率を表示しているが、これらの情報を編集中に表示するための情報を、実際に編集処理を行うマルチメディア情報生成装置５０から送信するようにしても良い。この場合、例えば、編集データ生成装置４０にて編集中データを更新する毎に編集中データをマルチメディア情報生成装置５０に送信する。これを受けたマルチメディア情報生成装置５０は、その更新内容がコンテンツデータに関するものであれば、対応するコンテンツ識別子に基いてコンテンツ情報管理装置６０と交信し、コンテンツ属性情報を受信する。あるいは、編集中データの更新内容がビデオ情報に関するものであれば、更新内容に含まれるビデオ情報のタイムコードを読出す。これらコンテンツ属性情報やタイムコードからマルチメディア情報化した際のデータ容量、総再生時間、デジタルビデオデータ圧縮率を算出し、その結果を編集データ生成装置４０に送信すればよい。もちろん、マルチメディア情報生成装置５０におけるデータ容量、総再生時間、デジタルビデオデータ圧縮率の算出は、このように編集データ生成装置４０にて編集中データを更新した内容を使って行うようにしても良いし、更新された内容も含めた編集中データの内容について改めて算出するようにしても良い。
また、編集中データやこれに関連付けられているビデオ情報やコンテンツデータの圧縮率は、一般にＤＶＤにおいては１．６Ｍｂｐｓ以上の圧縮率で圧縮処理を行うが、この圧縮率が高すぎると再生時の画質が低下してしまう。この限界は９．８Ｍｂｐｓ程度と考えられ、本実施形態においてもこの限界値を超したことを報知するようにしている。この場合、この限界値に近づくと警告するようにしても良いし、限界値に達したときに警告するようにしても良い。警告時は、モニタ上にこれに対応したメッセージを表示することになる。
【００４５】
［マルチメディア情報生成装置５０の主要機能］
次に、マルチメディア情報生成装置５０の主要機能について、それをブロックで示す図５を参照して説明する。
マルチメディア情報生成装置５０は、たとえばパーソナルコンピュータの本体に接続される拡張ボードや専用のソフトウエアを中心として構成される。
編集データ入力部５２は、編集データ生成装置４０から送信された編集指示データを受信するものである。コンテンツデータ受信装置５８は、モデムもしくはＬＡＮカードであり、通信回線を介してコンテンツデータ管理装置６０と通信を行う。また、コンテンツデータ受信装置５８は、コンテンツデータ管理部５１からの指示により、コンテンツ識別子に対応するコンテンツの送信要求をコンテンツデータ管理装置６０に対して行い、コンテンツデータ管理装置６０から送信されたコンテンツデータを受信する。その受信したコンテンツデータは、コンテンツデータ管理部５１が管理するハードディスクに記録される。
【００４６】
ビデオテープ再生装置７１は、IEEE1394インターフェースを備えており、マルチメディア情報生成装置５０とはＤＶ端子およびケーブルを介して接続されている。ビデオ取込部５４は、たとえばビデオキャプチャカードなどであり、ビデオテープ再生装置７１から出力される画像データを所定の方法でデジタルデータ化し、そのデジタルデータを編集制御部５６へ出力する。編集制御部５６は、ビデオ取込部５４を介して取込んだビデオデータや、コンテンツデータ管理部５１を介して取込んだコンテンツデータをハードディスクなどで構成されるマルチメディア情報記憶部５７に書き込んで記憶させるためのソフトウエアである。通知部５３は、編集処理に伴って発生する所定の通知事項をユーザに提示するためのソフトウエアである。
【００４７】
［コンテンツデータ管理装置６０の主要機能］
次に、コンテンツデータ管理装置６０の主要機能について、それをブロックで示す図４を参照して説明する。
コンテンツデータ管理装置６０は、たとえばパーソナルコンピュータの本体に接続される拡張ボードや専用のソフトウエアを中心として構成される。
リクエスト受信装置６４は、モデムもしくはＬＡＮカードであり、編集データ生成装置４０やマルチメディア情報生成装置５０からのリクエストを、コンテンツデータ管理部６１の指示により受け付ける。コンテンツデータ管理部６１は、リクエスト受信装置６４が受け付けたリクエストに対応したコンテンツデータをハードディスクなどにより構成されるコンテンツデータ保持部６２から取得する。コンテンツデータ送信部６３は、コンテンツデータ管理部６１がコンテンツデータ保持部６２から取得したコンテンツデータを受け、それをモデムもしくはＬＡＮカードにより構成されたコンテンツデータ送信装置６５を介して、リクエストを送ってきた編集データ生成装置４０あるいはマルチメディア情報生成装置５０へコンテンツデータを送信する。
【００４８】
上述のリクエストには少なくとも２種類あり、その１つがコンテンツ属性情報の要求であり、この場合、図１３に示すコンテンツ情報のうち、図１４に示すようにコンテンツ属性情報のみを送信する。この実施形態では、編集データ生成装置４０がその形のデータをコンテンツデータ管理装置６０へ要求する。
もう１つがコンテンツビデオデータの要求であり、この場合、図１３に示すコンテンツ情報のうち、マルチメディア情報であるコンテンツビデオデータのみを送信する。この実施形態では、マルチメディア情報生成装置５０がその形のデータをコンテンツデータ管理装置６０へ要求する。
なお、ビデオ情報やコンテンツデータをマルチメディア情報化した際のデータ容量、総再生時間、デジタルビデオデータ圧縮率の算出を編集データ生成装置４０が行う場合は、上述のようなリクエストに対する応答を行うが、データ容量、総再生時間、デジタルビデオデータ圧縮率の算出をマルチメディア情報生成装置５０が行う場合には、このマルチメディア情報生成装置５０がコンテンツ属性情報を要求することになり、図１４に示すコンテンツ属性情報のみを送信する。この場合でも、編集データ生成装置４０に対しては、編集中データを生成するために必要なコンテンツ属性情報を送信するし、マルチメディア情報生成装置５０に対しても、マルチメディア情報を生成するために必要なコンテンツビデオデータのみを送信することは同じである。
【００４９】
［編集データ生成装置４０が実行する処理内容］
次に、編集データ生成装置４０が実行する処理内容について説明する。なお、ここでは、オペレーティングシステムとして、米国のマイクロソフト社が開発したWindows（Windowsは、マイクロソフト社の登録商標）を使用するものとする。（編集制御部４４が実行する編集処理）
最初に、編集制御部４４が実行する編集処理の流れについて、それを示す図１６のフローチャートを参照して説明する。
編集制御部４４は、ユーザから編集データの作成指示を受けると、これから行う作業がメニュー画面の編集であるか、ビデオカットの設定であるかの問い合わせ内容をモニタ画面に表示する（ステップＳ１）。ここで、メニュー画面の編集が選択された場合には（Ｙｅｓ）、メニュー画面の編集処理用のＧＵＩをモニタ画面に表示し、図７に示したようなメニュー画面の編集を行わせる（ステップＳ２）。また、ビデオカットの設定である場合には（Ｎｏ）、ビデオカット設定用のＧＵＩをモニタ画面に表示し、そこに、再生装置制御部４３を通して得たビデオの映像を表示する（ステップＳ３）。
【００５０】
さらに、図１１に示すように、マルチメディア情報化時データの確認というウインドウが表示される（ステップＳ３）。ウインドウ７２には、編集中データをマルチメディア情報化した際のデータ容量を表示するデータ容量表示部７２ａと、総再生時間を表示する総再生時間表示部７２ｃと、デジタルビデオデータ圧縮率を表示する圧縮率表示部７２ｂと、表示内容を確認した際に押下するＯＫボタン７２ｄとが表示される。つまり、ユーザは、データ容量、総再生時間およびデジタルビデオデータ圧縮率の提示を受け、それらを確認しながら編集作業を実施することができる。各表示データの計算方法は後述する。
また、このステップＳ３では、画面にビデオカットと共に表示されたタイムコードを見ながら、ビデオの再生開始点および終了点の設定を行う。さらに、図１５に示すように、コンテンツデータ管理部４２が管理している外部コンテンツ情報の一覧を示す画面７３を表示する（ステップＳ３）。画面７３には、コンテンツ名と、そのコンテンツ名に対応するコンテンツのサイズ（データ容量）と、そのコンテンツの再生時間を示すデータ再生時間とが対応付けて表示される。コンテンツの選択は、マウスまたはキーボードのカーソル移動キーを使用して、選択したいコンテンツ名とその対応する部分の表示色を反転させて行う。図１５に示す例では、「時事ニュースコンテンツ２００１年版」というコンテンツ名、１００ＭＢｙｔｅおよび２５分が表示された表示領域７３ａが反転しており、それが選択されたことを示している。そして、選択したコンテンツ名に決定する場合は、決定ボタン７３ｂを押下し、キャンセルする場合は、キャンセルボタン７３ｃを押下する（ステップＳ３）。
【００５１】
続いて編集制御部４４は、１つのデータブロックに対する編集および設定が終了すると、総てのデータブロックの編集データの作成が終了したかの問い合わせを示すメッセージを画面上に表示する（ステップＳ４）。ここで、データブロックとは、ビデオテープ再生装置７０が再生するビデオデータの中で、たとえば時間的間隔により分かれているデータ、あるいは、撮影シーンの変化により区切られているデータの１グループなど、ユーザがデータの１グループとして意識しているデータグループを意味する。
ここで、総てのデータブロックの編集データの作成が終了した場合には（Ｙｅｓ）、編集データをファイルとして編集中データ（図８）を出力する（ステップＳ５）。また、終了していない場合には（Ｎｏ）、ステップＳ１に移行し、編集作業を継続する。
【００５２】
（編集指示データ出力部４５が実行する処理）
次に、編集指示データ出力部４５が実行する処理の流れについて、それを示す図１７のフローチャートを参照して説明する。
編集指示データ出力部４５は、編集制御部４４が出力した編集データを読込み（ステップＤ１）、注文データ入力部４５ｂのＧＵＩにより、図１１に示したように編集中データをマルチメディア情報化した際のデータ容量、総再生時間およびデジタルビデオデータ圧縮率などの表示を行う一方、ユーザから注文に必要な情報（ＤＶＤを作成する枚数、作成したＤＶＤの送付先、ユーザの個人情報など）を入力させて読込む（ステップＤ２）。続いて編集指示データ出力部４５は、メニュー変換部４５ｃにより、メニューデータの変換処理を行い（ステップＤ３）、その後、データチェック部４５ｄにより、出力する編集データのチェックを行う（ステップＤ４）。
なお、編集指示データ出力部４５が実行する処理は必ずしも必要ではなく、編集制御部４４から出力される編集中データをマルチメディア情報生成装置５０へ送信する構成でもよい。
【００５３】
（メニュー変換部４５ｃが実行する処理）
ここで、メニュー変換部４５ｃが実行する処理の流れについて、それを示す図１８のフローチャートを参照して説明する。
メニュー変換部４５ｃは、編集データ内の現在の処理対象を選択し（ステップＥ１）、その選択した処理対象がメニューであるか否かを判定する（ステップＥ２）。ここで、メニューでなければ（Ｎｏ）、処理対象を変更して選択する（ステップＥ１）。また、メニューである場合は（Ｙｅｓ）、図８に示したメニュー情報の背景画像に記述してある背景ビットマップデータを読込む（ステップＥ３）。続いてテキスト情報を取得し（ステップＥ４）、その取得したテキスト情報をステップＥ３において読込んだ背景ビットマップデータの上に重ね合わせる（ステップＥ５）。続いて全テキスト情報の処理を完了したか否かを判定し（ステップＥ６）、完了していない場合は（Ｎｏ）、ステップＥ４に移行して処理を繰り返す。また、完了している場合は（Ｙｅｓ）、図６に示したように、テキストのない花を表した背景画像８１の上に、「ビデオライブラリ」、「ビデオ１」、「ビデオ２」および「ビデオ３」というテキスト情報ＶＬを描き込んだテキスト情報入り背景ビットマップデータを出力する（ステップＥ７）。
【００５４】
その後、図９に示すように、ステップＥ７において出力したテキスト情報入り背景ビットマップ情報をニュー情報の背景画像として記録し、ステップＥ４において取得したテキスト情報を削除する（ステップＥ８）。続いてメニューデータの変換処理として全件の処理が終了したか否かを判定し（ステップＥ９）、終了していない場合は（Ｎｏ）、ステップＥ１に移行して処理を繰り返す。また、終了している場合は（Ｙｅｓ）、次の処理へ移行する。
以上のように、テキスト情報として編集データ生成装置４０にしかインストールされていないフォントによりテキストが設定されている場合であっても、編集データ生成装置４０においてテキストをビットマップデータに変換するため、マルチメディア情報生成装置５０が編集データ生成装置４０と同じフォントを所有していなくても正常にＤＶＤを作成することができる。
【００５５】
（データチェック部４５ｄが実行する処理）
ここで、データチェック部４５ｄが実行する処理の流れについて、それを示す図１９のフローチャートを参照して説明する。
データチェック部４５ｄは、編集データ内にビデオテープを使用するビデオ情報が存在するか否かを判定する（ステップＦ１）。ここで、存在する場合は（Ｙｅｓ）、編集データの中から例えばテープ１番を使用するビデオカット情報を取得する（ステップＦ２）。続いて、その取得したビデオカット情報に対応したビデオテープをビデオテープ再生装置７０に挿入することを指示する（ステップＦ３）。続いてステップＦ２において取得したビデオカット情報の再生開始点への頭出しを行う（ステップＦ４）。続いてその頭出しに成功したか否かを判定し（ステップＦ５）、失敗した場合は（Ｎｏ）、ステップＦ３において挿入されたビデオテープが間違っていたものとして、ステップＦ３に移行し、ビデオテープの入替を指示する。
【００５６】
また、頭出しに成功した場合は（Ｙｅｓ）、編集データで使用されているビデオテープ総てに対してチェックが完了したか否かを判定し（ステップＦ６）、チェックが完了している場合は（Ｙｅｓ）、他の処理へ移行し、完了していない場合は（Ｎｏ）、ステップＦ２に移行する。なお、この場合の頭出しは、ビデオテープ上のタイムコードとフレーム画像の一部のデータを用いて行う。これを実施する場合、少なくとも編集中データ（図８）の開始点タイムコードと共にそのフレーム画像の一部のデータを記憶しておいて実施する。
以上のような処理を行うことにより、サービス依頼者側がサービス提供者へ送るビデオテープが正しく存在しているか否かの判断が可能となるため、サービス提供者側にビデオテープが送られた後でビデオテープが存在しないといったミスを防ぐことができる。
【００５７】
［圧縮率の計算など］
次に、編集中データをマルチメディア情報化した場合のデータ容量、総再生時間およびデジタルビデオデータ圧縮率を求めるために編集制御部４４が行う変換時情報作成処理の流れについて、それを示す図２０のフローチャートを参照して説明する。
編集制御部４４は、編集データを読込み（ステップＧ１）、処理対象を選択し（ステップＧ２）、その選択した処理対象がメニューであるか否かを判定する（ステップＧ３）。ここで、メニューであった場合は（Ｙｅｓ）、メニューをデジタル圧縮した際の推定サイズをメニュー総データ容量に加算する（ステップＧ４）。なお、メニューをデジタル圧縮した際のサイズとして特定の値を予め決定しておいてもよいし、ステップＧ４のタイミングで圧縮処理を行って値を求めてもよい。
【００５８】
また、メニューでなかった場合は（Ｎｏ）、処理対象が外部コンテンツであるか否かを判定し（ステップＧ５）、外部コンテンツでない場合、つまりカット情報である場合は（Ｎｏ）、カット情報の終了点タイムコードから開始点タイムコードを引いて求めたカット情報再生時間を総再生時間に加算する（ステップＧ６）。また、処理対象が外部コンテンツであった場合は（Ｙｅｓ）、コンテンツ識別子が一致するコンテンツ属性情報からデータサイズを取得し、それを外部コンテンツ総データ容量に加算する（ステップＧ７）。続いてコンテンツ属性情報から再生時間を取得し、それを外部コンテンツ再生時間に加算する（ステップＧ８）。
続いて、処理対象の全件について処理が完了したか否かを判定し（ステップＧ９）、完了していない場合は（Ｎｏ）、ステップＧ２に移行し、データの収集を続行し、完了している場合は（Ｙｅｓ）、総データ容量、総再生時間およびデジタルビデオデータ圧縮率を計算する（ステップＧ１０）。ここで、総データ容量は、作業データをデジタルデータ化し、マルチメディア情報化した際のデータの容量を示す。
【００５９】
デジタルビデオデータ圧縮率は、ユーザに対して圧縮による画像の劣化の度合いを認知させるためのものであり、一般に単位時間当りのデータ量で表し、以下の計算式により求める。
ビデオ情報使用可能データ容量＝メディア容量−メニュー総データ容量−外部コンテンツ総データ容量                                  ・・・（１式）
デジタルビデオデータ圧縮率＝ビデオ情報使用可能データ容量／ビデオ情報総再生時間                                                ・・・（２式）
この計算式により圧縮率を計算する場合、上述の処理におけるステップＧ８はなくても良い。
また、コンテンツデータ管理装置６０が管理する外部コンテンツが、メディアに適合したデジタルデータになっていない場合には、以下の計算式により求める。
デジタルビデオデータ圧縮率＝（メディア容量−メニュー総データ容量）／（ビデオ情報総再生時間＋外部コンテンツ総再生時間）        ・・・（３式）
この計算式により圧縮率を計算する場合、上述の処理におけるステップＧ７はなくても良い。
【００６０】
［マルチメディア情報生成装置５０が実行する処理内容］
次に、マルチメディア情報生成装置５０が実行する処理内容について説明する。
（編集制御部５６が実行する編集処理）
最初に、編集制御部５６が実行する編集処理の流れについて、それを示す図２１のフローチャートを参照して説明する。
編集制御部５６は、編集データ生成装置４０から送信されてきた編集データを読込むと（ステップＡ１）、図１０に示した出力ファイルを生成し、出力マルチメディア情報のアドレステーブルまでのエリアをマルチメディア情報記憶部５７上に確保する（ステップＡ２）。図１０に示す出力ファイルの冒頭部分には、図９に示した編集指示データに基づくデータ数、ＩＤ、アドレスおよびデータタイプを示すアドレステーブルが配置される。ステップＡ２において作成されるのは、このアドレステーブルまでのエリアである（この時点では、テーブルのアドレス欄はブランクとなっている）。なお、前述したように、編集データ生成装置４０が編集指示データ出力部４５を備えていない構成の場合は、図８に示したように編集中データを処理することになる。しかし、図１８に示したメニューデータの変換処理を前もって実施することで図９に示す編集指示データを得ることができるため、以降の処理は共通となる。
【００６１】
編集制御部５６は、処理対象を選択し（ステップＡ３）、その選択した処理対象がメニューであるか否かを判定する（ステップＡ４）。ここで、メニューであると判定した場合は（Ｙｅｓ）、メニューデータを出力ファイルに記録するとともに、メニューデータを書き込んだ場所の先頭アドレス「ｗｗｗｗ」をアドレステーブルのアドレス欄に書き込む（ステップＡ５）。そして、編集処理が全件完了したか否かを判定し（ステップＡ７）、完了していない場合は（Ｎｏ）、ステップＡ３に戻って処理対象を再度選択する。すると、今回の処理対象は、ビデオ情報となるので、編集制御部５６は、ステップＡ４において「Ｎｏ」と判定し、ステップＡ６に移行してビデオデータの記録を行うとステップＡ７に移行する。以上の処理を繰り返し実行することで、編集処理が全件完了すると（ステップＡ７：Ｙｅｓ）、編集処理を終了する。
【００６２】
次に、編集制御部５６がステップＡ６において実行するビデオデータ記録処理の流れについて、それを示す図２２のフローチャートを参照して説明する。
編集制御部５６は、処理対象が外部コンテンツであるか否かを判定する（ステップＢ１）。ここで、処理対象が外部コンテンツではない、つまりビデオ情報であった場合は（Ｎｏ）、ビデオ取込部５４に対して取り込むビデオカットに対応したビデオテープの頭出しを指示する（ステップＢ２）。たとえば、図９に示す編集指示データの場合、ビデオ情報１の最初のビデオカット１の開始点タイムコードは、１時間１０分３４秒１２フレームであり、そのタイムコードに対して頭出しを行う。編集制御部５６は、ビデオテープの頭出しが完了すると、再生装置制御部５５に対してビデオテープの再生指示を出す。これにより、ビデオテープ再生装置７１がビデオテープの再生を開始し、その再生されたビデオデータがビデオ取込部５４により取込まれる（ステップＢ４）。
【００６３】
続いて編集制御部５６は、ビデオ取込部５４により取込まれ、圧縮されたビデオデータ、つまり画像および音声をマルチメディア情報記憶部５７に記録させる（ステップＢ５）。続いてビデオカット１についての記録が完了したか否かを判定し（ステップＢ６）、完了していない場合は（Ｎｏ）、ステップＢ５を実行する。つまり、完了するまでビデオデータの記録を実行する。そして、ビデオカット１の記録が完了すると（Ｙｅｓ）、１つのビデオ情報の総てのビデオカットの記録が完了したか否かを判定し（ステップＢ７）、完了していない場合は（Ｎｏ）、ステップＢ１に戻る。すると、次の処理対象は、ビデオ情報１のビデオカット２になるため、そのビデオカット２に対してステップＢ２〜Ｂ７を実行する。そして、１つのビデオ情報の総てのビデオカットの記録が完了すると（ステップＢ７：Ｙｅｓ）、処理を終了する。
なお、以上の処理において、画像および音声データを圧縮する際の圧縮率は、マルチメディア情報を生成する前に、図２０に示した処理と同じ処理を実行して決定してもよい。また、編集データ生成装置４０において図２０に示した処理により圧縮率を求めた後で、編集指示データに圧縮率を示すデータを付加し、それを編集制御部５６が用いるようにすることもできる。
【００６４】
次に、編集制御部５６が上記ステップＢ３において実行するコンテンツデータ記録処理の流れについて、それを示す図２３のフローチャートを参照して説明する。
編集制御部５６は、ステップＢ１において処理対象が外部コンテンツであると判定した場合（Ｙｅｓ）、その外部コンテンツデータの識別子を取得する（ステップＣ１）。たとえば、図９に示す編集指示データの場合、ビデオ情報３の最初のビデオカット１のコンテンツ識別子は「０００．０００．００１．００１」である。続いて編集制御部５６は、コンテンツデータ管理部５１に対し、ステップＣ１において取得したコンテンツ識別子に対応したビデオデータの取得を指示する（ステップＣ２）。これにより、コンテンツデータ管理部５１は、コンテンツデータ受信装置５８に対して、上記コンテンツ識別子に対応するコンテンツ情報の受信要求をコンテンツデータ管理装置６０に対して行うように指示する。
続いて編集制御部５６は、コンテンツデータ受信装置５８が上記コンテンツ識別子に対応するコンテンツ情報を受信すると、その受信したコンテンツ情報をマルチメディア情報記憶部５７に記憶させる（ステップＣ３）。受信したコンテンツ情報が所定形式にデジタル化されていない場合には、ここでビデオ取込部５４の内部機能を用いて圧縮処理を行う（ステップＣ３）。その際の圧縮率は、マルチメディア情報を生成する前に、図２０に示した処理と同じ処理を実行して決定しても良い。また、編集データ生成装置４０において図２０に示した処理により圧縮率を求めた後で編集指示データに圧縮率を示すデータを追加し、それを編集制御部５６が用いるようにすることもできる。
続いて総てのビデオカットの処理が完了したか否かを判定し（ステップＣ４）、完了していない場合は（Ｎｏ）、ステップＣ１に戻り、ステップＣ１〜Ｃ４の処理を繰り返す。また、完了している場合は（Ｙｅｓ）、他の処理へ移行する。以上の処理を実行することにより、図１０に示されるマルチメディア情報が作成される。
【００６５】
［実施形態の効果］
（１）以上のように上記実施形態の情報編集システム３０を使用すれば、サービス依頼者は、ビデオコンテンツ提供者の所有するコンテンツをマルチメディア化する場合、コンテンツ自体の取り扱いは必要がなく、サービス提供者に対して編集に必要なコンテンツの属性情報を送信するだけで良い。これを受けたサービス提供者は、ビデオコンテンツ提供者から必要なコンテンツを受信して編集処理を行うことができる。
また、編集中データの圧縮の度合いを演算し、その演算結果をモニタ画面に表示することができるため、サービス依頼者は、圧縮の度合いと画質とを比較考量しながら編集処理を行うことができる。
したがって、サービス依頼者およびサービス提供者が、コンテンツを揃えるための手間および費用を削減することができ、かつ、編集中データの圧縮の度合いを報知できる情報編集システムを実現することができる。また、サービス依頼者またはサービス編集者が、コンテンツの使用料をビデオコンテンツ提供者に対して支払うようにすれば、コンテンツの無断使用を防止できるため、コンテンツの著作権を厚く保護できる情報編集システムを実現することもできる。
【００６６】
（２）また、サービス依頼者は、編集対象の情報として用いるコンテンツの属性を示す属性情報の送信要求をコンテンツデータ管理装置６０に対して行うだけで、その属性情報をコンテンツデータ管理装置６０から受信することができるため、コンテンツの属性を調べる手間を省くことができる。
（３）さらに、ビデオテープなどのビデオ記録媒体に記録されているビデオ情報も加えて編集しようとした場合、編集中データおよびこれに関連付けられたコンテンツやビデオ情報をマルチメディア情報化した場合の総再生時間は、コンテンツ属性情報に含まれる再生時間とビデオ情報の開始点タイムコードおよび終了点タイムコードとから求めることができるたため、その求めた総再生時間と、記録媒体の記録可能な容量とに基いて、編集中データの圧縮の度合いを演算することができる。
（４）編集データ生成装置４０は、編集対象の情報が選択される毎に、編集中データをマルチメディア情報化した場合の圧縮率を演算し、その演算結果をモニタ画面に表示できるため、サービス依頼者は、編集対象の情報を選択する毎に圧縮の度合いと画質とを比較考量しながら編集処理を行うことができる。
【００６７】
［他の実施形態］
（１）図２４は、編集制御部４４が行う変換時情報作成処理の流れの変更例を示すフローチャートである。なお、図２０に示したステップＧ１〜Ｇ９は省略されている。編集制御部４４は、総データ容量、総再生時間およびデジタルビデオデータ圧縮率を計算すると（ステップＧ１０）、その計算したデジタルビデオデータ圧縮率Ｒが、予め設定されている設定値Ｒ１（たとえば、９．８Ｍｂｐｓ）を超えたか否かを判定する（ステップＧ１１）。上記設定値Ｒ１は、サービス依頼者が変更することができる値であり、たとえば、それ以上圧縮率が高くなると、画質の劣化が目立つことになるときのしきい値である。ここで、編集制御部４４は、ステップＧ１０において計算したデジタルビデオデータ圧縮率Ｒが設定値Ｒ１を超えていると判定すると（ステップＧ１１：Ｙｅｓ）、デジタルビデオデータ圧縮率Ｒが設定値Ｒ１を超えていることを報知する（ステップＧ１２）。その報知は、たとえばモニタ画面上にそのことを示すメッセージを表示したりすることにより行う。
この構成を使用すれば、サービス依頼者は、過度の圧縮を行ってしまうことにより、編集中データの画質が所望の画質よりも低下してしまうことを防止できる。また、上記構成は、マルチメディア情報生成装置５０に設けることもできる。
【００６８】
（２）前記実施形態では、サービス依頼者が、ビデオコンテンツ提供者に対してコンテンツ属性情報の送信要求を行い、ビデオコンテンツ提供者からコンテンツ属性情報を受信する場合を説明したが、サービス依頼者が、コンテンツ属性情報のリストを所有している構成でもよい。この場合、そのリストがＣＤ−ＲＯＭなどの記録媒体に記録されている場合は、その記録媒体に記録されているリストを編集データ生成装置４０が読取って使用する。
（３）出力マルチメディア情報を記録するメディアは、ＤＶＤに記録する場合を説明したが、ハードディスクなどの他のディスク記録媒体、あるいは、ビデオテープなどのテープ記録媒体などに記録することもできる。
また、元映像を記録する記録媒体としては、ビデオテープなどのテープ記録媒体の他、ＤＶＤなどのディスク媒体でもよい。
（４）以上、出力マルチメディア情報は記録媒体に記録するとしてきたが、サービス提供者から出力マルチメディア情報を通信手段（たとえば、公衆交換通信網やインターネットなど）を介してサービス依頼者へ送信してもよい。
【００６９】
［各請求項と実施形態との対応関係］
編集データ生成装置４０が請求項１に記載のサービス依頼者側装置に対応し、コンテンツデータ管理装置６０がコンテンツ情報管理装置に対応し、マルチメディア情報生成装置５０が編集装置に対応する。
ビデオテープＶＴが請求項１に記載のビデオ記録媒体に対応し、ＤＶＤが記録媒体に対応する。
編集制御部４４が、請求項１に記載の選択手段として機能し、再生装置制御部４３が位置情報生成手段として機能する。編集指示データ出力部４５が編集指示データ送信手段として機能し、編集データ入力部５２が編集指示データ受信手段として機能する。コンテンツデータ受信装置５８が、コンテンツ情報送信要求手段およびコンテンツ受信手段として機能し、編集制御部５６が編集手段として機能し、コンテンツデータ送信装置６５がコンテンツ情報送信手段として機能する。コンテンツデータ受信装置４１が、請求項２に記載の属性情報送信要求手段および属性情報受信手段として機能し、コンテンツデータ送信装置６５が属性情報送信手段として機能する。
【００７０】
編集制御部４４が実行するステップＧ１〜Ｇ１０が、請求項１に記載の報知手段として機能し、編集制御部５６が実行するステップＡ１〜Ａ７、ステップＢ１〜Ｂ７およびステップＣ１〜Ｃ４が、編集手段として機能する。
編集制御部４４が実行するステップＳ１〜Ｓ５、編集指示データ出力部４５が実行するステップＤ１〜Ｄ４および編集制御部４４が実行するステップＧ１〜Ｇ１０を含む処理を実行するためのコンピュータプログラムが、請求項１２に係るコンピュータプログラムに対応し、そのコンピュータプログラムが記録されたハードディスクなどの記録媒体が請求項１３に係る記録媒体に対応する。
【図面の簡単な説明】
【図１】この発明の実施形態に係る情報編集システムの主要構成をブロックで示す説明図である。
【図２】編集データ生成装置４０の主要機能をブロックで示す説明図である。
【図３】編集指示データ出力部４５の主要機能をブロックで示す説明図である。
【図４】コンテンツデータ管理装置６０の主要機能をブロックで示す説明図である。
【図５】マルチメディア情報生成装置５０の主要機能をブロックで示す説明図である。
【図６】メニュー変換部４５ｃが実行する処理を説明する説明図である。
【図７】出力マルチメディア情報が記録されたＤＶＤを再生した場合にモニタ画面に表示されるメニュー画面を示す説明図である。
【図８】編集中データの主な内容を示す説明図である。
【図９】編集指示データの主な内容を示す説明図である。
【図１０】出力マルチメディア情報の主な内容を示す説明図である。
【図１１】編集中データをマルチメディア情報化した場合のデータ容量、総再生時間およびデジタルデータ圧縮率が表示されたモニタ画面の説明図である。
【図１２】コンテンツデータの一覧を示す説明図である。
【図１３】コンテンツ情報の主な内容を示す説明図である。
【図１４】コンテンツ属性情報の主な内容を示す説明図である。
【図１５】コンテンツデータ管理部４２が管理している外部コンテンツ情報の一覧が表示されたモニタ画面の説明図である。
【図１６】編集制御部４４が実行する編集処理の流れを示すフローチャートである。
【図１７】編集指示データ出力部４５が実行する編集データ出力処理の流れを示すフローチャートである。
【図１８】メニュー変換部４５ｃが実行するメニューデータの変換処理の流れを示すフローチャートである。
【図１９】データチェック部４５ｄが実行する出力情報のチェック処理の流れを示すフローチャートである。
【図２０】編集制御部４４が実行する変換時情報作成処理の流れを示すフローチャートである。
【図２１】編集制御部５６が実行する編集処理の流れを示すフローチャートである。
【図２２】編集制御部５６が実行するビデオデータ記録処理の流れを示すフローチャートである。
【図２３】編集制御部５６が実行するコンテンツデータ記録処理の流れを示すフローチャートである。
【図２４】編集制御部４４が実行する変換時情報作成処理の変更例を示すフローチャートである。
【符号の説明】
３０    情報編集システム
４０    編集データ生成装置（依頼者側装置）
５０    マルチメディア情報生成装置（編集装置）
６０    コンテンツデータ管理装置（コンテンツ情報管理装置）
【図１】
0004120194.tif 000002
【図２】
0004120194.tif 000003
【図３】
0004120194.tif 000004
【図４】
0004120194.tif 000005
【図５】
0004120194.tif 000006
【図６】
0004120194.tif 000007
【図７】
0004120194.tif 000008
【図８】
0004120194.tif 000009
【図９】
0004120194.tif 000010
【図１０】
0004120194.tif 000011
【図１１】
0004120194.tif 000012
【図１２】
0004120194.tif 000013
【図１３】
0004120194.tif 000014
【図１４】
0004120194.tif 000015
【図１５】
0004120194.tif 000016
【図１６】
0004120194.tif 000017
【図１７】
0004120194.tif 000018
【図１８】
0004120194.tif 000019
【図１９】
0004120194.tif 000020
【図２０】
0004120194.tif 000021
【図２１】
0004120194.tif 000022
【図２２】
0004120194.tif 000023
【図２３】
0004120194.tif 000024
【図２４】
0004120194.tif 000025